(57)【要約】【課題】  簡単な配線工事や設置工事で取り付けることのできる屋外カメラシステムを得る。【解決手段】  屋外に設置されたカメラの画像信号を電灯線を用いた電灯線通信を利用して伝送する屋外カメラシステムにおいて、カメラ１１と電灯１２とが通信部１３を介して電灯線を共有した屋外カメラユニット１０と、操作部２１が通信部２２を介して電灯線に接続された屋内の操作ユニット２０と、表示部３１が通信部３２を介して電灯線に接続された屋内の表示ユニット３０とを備える。【選択図】        図１
2006174201.tif 000002
【特許請求の範囲】
【請求項１】
屋外に設置されたカメラの画像信号を電灯線を用いた電灯線通信を利用して伝送する屋外カメラシステムにおいて、
上記カメラと、電灯と、上記電灯線通信のための信号処理を行う第一の通信部とを有して屋外に設置され、上記カメラと上記電灯とが上記第一の通信部を介して電灯線に接続された屋外カメラユニットと、
上記電灯のオン／オフを制御する操作部と、上記電灯線通信のための信号処理を行う第二の通信部とを有して屋内に設置され、上記操作部が上記第二の通信部を介して電灯線に接続された操作ユニットと、
上記屋外に設置されたカメラの画像を表示するための表示部と、上記電灯線通信のための信号処理を行う第三の通信部とを有して屋内に設置され、上記表示部が上記第三の通信部を介して電灯線に接続された第一の表示ユニットと
を備えたことを特徴とする屋外カメラシステム。
【請求項２】
上記操作ユニットと上記第一の表示ユニットとを、上記第一の通信部と上記第二の通信部とを一つの通信部で構成することにより、１ユニットで構成することを特徴とする請求項１に記載の屋外カメラシステム。
【請求項３】
上記屋外に設置されたカメラの画像を表示するための表示部と、上記電灯線通信のための信号処理を行う通信部とを有して屋内に設置され、上記表示部が上記通信部を介して電灯線に接続された第二の表示ユニットを備えたことを特徴とする請求項１または２に記載の屋外カメラシステム。
【請求項４】
上記第一の表示ユニットと上記第二の表示ユニットのうち少なくとも一つは、上記通信部を介する画像信号を処理するための端末装置を備え、上記表示部が上記端末装置を介して上記通信部に接続されたことを特徴とする請求項１〜３のいずれか１項に記載の屋外カメラシステム。
【請求項５】
屋外に設置されたカメラの画像信号を電灯線を用いた電灯線通信を利用して伝送する屋外カメラシステムにおいて、
上記カメラと、電灯と、上記電灯線通信のための信号処理を行う第一の通信部とを有して屋外に設置され、上記カメラと上記電灯とが上記第一の通信部を介して電灯線に接続された屋外カメラユニットと、
上記第一の通信部と上記電灯線通信をするための信号処理を行う第二の通信部と、光ファイバ通信技術を利用して遠方の監視元へ信号を送受信する第一の光ファイバ送受信部とを有し、上記第二の通信部と上記第一の光ファイバ送受信部が接続された中継ユニットと、
上記電灯の操作を行うための操作部と、上記屋外に設置されたカメラの画像を表示するための表示部と、光ファイバ通信技術を利用して遠方へ信号を送受信する第二の光ファイバ送受信部とを有し、上記操作部と上記表示部とが上記第二の光ファイバ送受信部を介して上記第一の光ファイバ送受信部と信号をやり取りする監視ユニットと
を備えたことを特徴とする屋外カメラシステム。
【請求項６】
上記監視ユニットは、上記第二の光ファイバ送受信部を介する信号を制御及び画像処理をするための端末装置を備え、上記操作部と上記表示部は上記端末装置を介して上記第二の光ファイバ送受信部に接続されることを特徴とする請求項５に記載の屋外カメラシステム。
【請求項７】
カメラの画像信号を電灯線を用いた電灯線通信を利用して伝送するカメラユニットにおいて、
上記カメラと、電灯と、上記電灯線通信のための信号処理を行う通信部とを有し、上記カメラと上記電灯とが上記通信部を介して電灯線に接続されることを特徴とするカメラユニット。
【発明の詳細な説明】
【技術分野】
【０００１】
本発明は、屋外カメラシステムに関するものであって、特にカメラの画像信号を電灯線を用いた通信（以下、電灯線通信と称す）を利用して伝送するものである。
【背景技術】
【０００２】
従来、室内の監視およびセキュリティを目的としたシステムを構築する場合、家庭内や事務所などに既設の電灯線を通信用の伝送路として、電灯線に搬送信号を重畳し、その電灯線に接続された機器相互間で通信をする電灯線搬送システムを活用することが行われている（例えば、特許文献１参照）。
【０００３】
【特許文献１】特開２００３−１０１９９６号公報（３頁［０００２］）
【発明の開示】
【発明が解決しようとする課題】
【０００４】
しかしながら、上記従来の方法では室内に既設の電灯線を利用することが前提であり、例えば家庭の玄関外に監視用の屋外カメラを設置する場合は、画像信号の伝送と電力の供給のために玄関外から屋内に至る専用ケーブルを設置する必要があり、その設置に際しては、既存設備の壁やポール等に大掛かりな工事が必要であった。また、カメラを単独で設置した場合、カメラの存在が外部から認識され易いという問題があった。
【０００５】
本発明は上記のような従来の課題を解消するためになされたものであり、簡単な配線工事や設置工事で取り付けることのできる屋外カメラシステムを得ることを目的とする。また、外部からカメラの存在を認識されにくい屋外カメラシステムを得ることを目的とする。
【課題を解決するための手段】
【０００６】
第一の発明に係る屋外カメラシステムは、屋外に設置されたカメラの画像信号を電灯線を用いた電灯線通信を利用して伝送する屋外カメラシステムにおいて、
カメラと、電灯と、電灯線通信のための信号処理を行う第一の通信部とを有して屋外に設置され、カメラと電灯とが第一の通信部を介して電灯線に接続された屋外カメラユニットと、
電灯のオン／オフを制御する操作部と、電灯線通信のための信号処理を行う第二の通信部とを有して屋内に設置され、操作部が第二の通信部を介して電灯線に接続された操作ユニットと、
屋外に設置されたカメラの画像を表示するための表示部と、電灯線通信のための信号処理を行う第三の通信部とを有して屋内に設置され、表示部が第三の通信部を介して電灯線に接続された第一の表示ユニットと
を備えたものである。
【０００７】
第二の発明に係る屋外カメラシステムは、屋外に設置されたカメラの画像信号を電灯線を用いた電灯線通信を利用して伝送する屋外カメラシステムにおいて、
カメラと、電灯と、電灯線通信のための信号処理を行う第一の通信部とを有して屋外に設置され、カメラと電灯とが第一の通信部を介して電灯線に接続された屋外カメラユニットと、
第一の通信部と電灯線通信をするための信号処理を行う第二の通信部と、光ファイバ通信技術を利用して遠方の監視元へ信号を送受信する第一の光ファイバ送受信部とを有し、第二の通信部と第一の光ファイバ送受信部が接続された中継ユニットと、
電灯の操作を行うための操作部と、屋外に設置されたカメラの画像を表示するための表示部と、光ファイバ通信技術を利用して遠方へ信号を送受信する第二の光ファイバ送受信部とを有し、操作部と表示部とが第二の光ファイバ送受信部を介して第一の光ファイバ送受信部と信号をやり取りする監視ユニットと
を備えたものである。
【０００８】
第三の発明に係るカメラユニットは、カメラの画像信号を電灯線を用いた電灯線通信を利用して伝送するカメラユニットにおいて、
カメラと、電灯と、電灯線通信のための信号処理を行う通信部とを有し、カメラと電灯とが通信部を介して電灯線に接続されるものである。
【発明の効果】
【０００９】
この第一の発明に係る屋外カメラシステムでは、カメラと電灯と通信部とから成る屋外カメラユニットを構成し、電灯線を分岐させることなくカメラと電灯とで共用することとしたため、簡単な配線工事や設置工事で屋内にて画像監視の行える屋外カメラシステムの導入が可能となる。また、外部からカメラの存在を認識されにくくすることができる。
【００１０】
この第二の発明に係る屋外カメラシステムでは、カメラと電灯と通信部とから成る屋外カメラユニットを構成し、電灯線を分岐させることなくカメラと電灯とで共用することとし、さらに、電灯線通信用の通信部と光ファイバ通信用の光ファイバ送受信部を有する中継ユニットを設けたことにより、簡単な配線工事や設置工事で遠方の監視元にて画像監視の行える屋外カメラシステムの導入が可能となる。また、外部からカメラの存在を認識されにくくすることができる。
【００１１】
この第三の発明に係るカメラユニットでは、カメラと電灯と通信部とから成り、電灯線を分岐させることなくカメラと電灯とで共用することとしたため、簡単な配線工事や設置工事でカメラユニットを取り付けることが可能となる。また、外部からカメラの存在を認識されにくくすることができる。
【発明を実施するための最良の形態】
【００１２】
実施の形態１．
以下、この発明の実施の形態１について説明する。
図１は、この発明の実施の形態１による屋外カメラシステムの概略構成を示したブロック図である。図１に示すように、この屋外カメラシステムは例えば家屋に設置されており、例えば玄関外に設置された屋外カメラユニット１０と、例えば玄関内に設置された操作ユニット２０と、例えば居間に設置された表示ユニット３０とから成る。
屋外カメラユニット１０は、玄関外の画像を撮影するカメラ１１と、玄関外の照明用の電灯１２と、電灯線通信のための信号処理を行う通信部１３とを有し、屋内から屋外に引き出された既設の屋外電灯用電灯線１を、通信部１３を介してカメラ１１と電灯１２で共有している。
操作ユニット２０は電灯１２のオン／オフを制御する操作部２１を備え、電灯線通信のための信号処理を行う通信部２２を介して電灯線２に接続される。
表示ユニット３０は、カメラ１１で撮影された画像信号を表示するための表示部３１と、電灯線通信のための信号処理を行う通信部３２を有し、表示部３１は通信部３２を介し電灯線２に接続される。
【００１３】
次に本実施の形態の動作を説明する。
玄関内にある操作ユニット２０から玄関外にある屋外カメラユニット１０の電灯１２をつけたい場合、操作部２１にてオンの信号を発し、通信部２２を介して電灯線２に重畳する。屋外カメラユニット１０の通信部１３は、屋内から屋外に至る屋外電灯用電灯線１を通じてこの信号を受信し、この受信信号より電灯１２の電力供給スイッチがオンされ電灯１２の明りが灯る。
また、通信部１３は、カメラ１１で撮影された画像信号を屋外電灯用電灯線１に重畳する。居間の表示ユニット３０の通信部３２は屋外電灯用電灯線１とつながる電灯線２を通じて画像信号を受信する。表示部３１は、通信部３２を介して画像信号を表示する。
【００１４】
以上のように、本実施の形態では、屋外カメラユニット１０はカメラ１１と電灯１２とが通信部１３を介して屋外電灯用電灯線１に接続されるため、カメラ１１用と電灯１２用に屋外電灯用電灯線１を分岐させる必要がなく、カメラ１１と電灯１２とは屋外電灯用電灯線１を共用し電力の供給を得ると共にカメラ１１で撮影された画像信号の伝送路としても使用することができる。従って、屋外カメラユニットの設置に際して、カメラ１１用のケーブルのための穴を壁にあける必要がなく設置が極めて簡単である。屋内では、操作ユニット２０と表示ユニット３０とを、屋内に敷設されている電灯線を利用して簡単に設置でき、電灯線通信を利用した屋外と屋内の通信を可能とする。これにより、既設の玄関灯を取り外し、これと置き換えて屋外カメラユニットを設置し、屋内の必要な場所に操作ユニットと表示ユニットとを設置するだけで、専用ケーブルの敷設工事等を行わなくても、容易に屋内にて画像監視の行える屋外カメラシステムを導入することができる。
【００１５】
また、この屋外カメラユニット１０はカメラ１１と電灯１２とを一体のユニットとしているため、屋外カメラを単独で設置する場合に比べて外部からカメラ１１を認識しにくく、第三者に警戒されることなく玄関外を撮影することができ、さらにセキュリティの向上を図ることができる。
【００１６】
なお、本実施の形態では玄関内に操作ユニット２０、居間に表示ユニット３０を設置したが、各通信部が屋内に敷設されている電灯線と接続できるところであればどこでも設置できる。設置方法としては、例えば操作ユニット２０であれば、玄関内の壁に取り付けられていた既設の玄関灯用のスイッチ部を取り外し、これと置き換えて設置してもよいし、また、通信部２２にコンセント差し込み用のプラグを設けてもよく、この場合は、屋内に敷設されているコンセントにプラグを差し込むだけで任意の場所に設置することができる。表示ユニットについても同様である。
さらに、本実施の形態では屋外カメラユニット１０は玄関外に設置したが、勝手口や駐車場等、屋外の照明設備がある場所であればどこでも簡単に設置できる。
【００１７】
実施の形態２．
上記実施の形態１では操作ユニット２０及び表示ユニット３０を別々に設けていたが、これらを一つのユニットにすることも可能であり、このような構成を実施の形態２にて説明する。
図２は、この発明の実施の形態２による屋外カメラシステムの概略構成を示したブロック図である。図２においてこの屋外カメラシステムは例えば家屋に設置されており、例えば玄関外に設置された屋外カメラユニット１０と、例えば玄関内に設置されたユニット４０とから成る。ここで、屋外カメラユニット１０は実施の形態１の構成と同じである。
ユニット４０は、電灯１２のオン／オフを制御する操作部４１と、カメラ１１で撮影された画像信号を表示するための表示部４２と、電灯線通信をするための通信部４３を有し、操作部４１と表示部４２とが通信部４３を介して電灯線２に接続される。
【００１８】
本実施の形態によれば、カメラ１１と電灯１２とを一つのユニット１０に納めたことで、カメラ１１で撮影された画像の表示と電灯１２の操作を１箇所で行うことができ、通信部の削減にもつながる。
また、ユニット４０の設置場所は、通信部４３が電灯線と接続できるところであればどこでもよく、玄関内の壁に取り付けられていた既設の玄関灯用のスイッチ部を取り外しこれと置き換えて設置してもよいし、また、通信部４３にコンセント差し込み用のプラグを設けてもよく、この場合は、屋内に敷設されているコンセントにプラグを差し込むだけで任意の場所に設置することができる。
【００１９】
実施の形態３．
上記実施の形態１または実施の形態２では屋外カメラ１１で撮影された画像信号を表示するための表示部は１箇所にしか設けていなかったが、監視の程度や状況に応じて表示する箇所を増やすことも可能であり、このような構成を実施の形態３にて説明する。
図３は、この発明の実施の形態３による屋外カメラシステムの概略構成を示したブロック図である。図３においてこの屋外カメラシステムは例えば家屋に設置されており、例えば玄関外に設置された屋外カメラユニット１０と、例えば玄関内に設置されたユニット４０と、例えば寝室に設置された表示ユニット５０から成る。ここで屋外カメラユニット１０と玄関内に設置されたユニット４０とは実施の形態２の構成と同じである。
表示ユニット５０は屋外カメラ１１で撮影された画像信号を表示するための表示部５１と、電灯線通信のための信号処理を行う通信部５２を有し、表示部５１は通信部５２を介して電灯線に接続される。
【００２０】
以上のように本実施の形態では、表示ユニット５０を寝室に設置したことで、寝室でもカメラ１１により撮影された玄関外の画像を監視することができ、さらにセキュリティの向上を図ることができる。
また、本実施の形態では、表示ユニット５０は寝室に設置したが、通信部５２と電灯線が接続できるところならどこでも設置でき、さらに必要に応じて台所や居間等の複数箇所に設置してもよい。例えば通信部５２にコンセント差し込み用のプラグを設ければ、屋内に敷設されているコンセントにプラグを差し込むだけで任意の場所に設置することができる。
【００２１】
実施の形態４．
上記実施の形態３では、複数箇所に表示ユニットを設けて玄関外の画像を監視する屋外カメラシステムを説明したが、この表示ユニットに画像信号を処理するためのパーソナルコンピューター（以下、ＰＣと称す）を備えることも可能であり、このような構成を実施の形態４にて説明する。
図４は、この発明の実施の形態４による屋外カメラシステムの概略構成を示したブロック図である。図４においてこの屋外カメラシステムは例えば家屋に設置されており、例えば玄関外に設置された屋外カメラユニット１０と、例えば玄関内に設置されたユニット４０と、例えば寝室に設置された表示ユニット５０と、例えば居間に設置された表示ユニット６０とから成る。ここで屋外カメラユニット１０と玄関内に設置されたユニット４０と寝室に設置された表示ユニット５０は実施の形態３の構成と同じである。
居間に設置された表示ユニット６０は屋外カメラ１１で撮影された画像信号を表示するための表示部６１と、画像信号を処理するためのＰＣ６２と、電灯線通信のための信号処理を行う通信部６３とを有し、表示部６１はＰＣ６２を介して通信部６３に接続されている。
【００２２】
本実施の形態では、表示ユニット６０にＰＣ６２を備えたことにより、通信部６３で受信した玄関外の画像信号をＰＣ６２に取り込み、その画像信号を表示部６１で表示することができる。またＰＣ６２は取り込んだ画像信号により様々な処理をすることができ、例えば、画像信号を保存しておいたり、インターネット経由で画像信号を携帯電話に送信して外出時でも自宅の玄関外の画像を確認すること等が可能である。
なお、本実施の形態ではＰＣを表示ユニット６０に備えたが、玄関内のユニット４０や、寝室の表示ユニット５０に備えてもよい。
【００２３】
なお、表示ユニットにＰＣ６２を備えたことにより、例えば屋外カメラユニットを玄関外だけでなく勝手口や駐車場に複数台設置した場合には、各屋外カメラユニットから得られる画像信号をすべて表示ユニット６０に収集し、通信部６３にて受信した画像信号をＰＣ６２で処理及び制御して表示部６１にかわるがわる表示すること等が簡単にできる。
【００２４】
さらに、通信部６３がイーサネット（登録商標）やＵＳＢ等の汎用インタフェースを備えていれば、家庭内で使用している家庭用パソコンを通信部６３と簡単に接続することができ、家庭用パソコンの画面に玄関外の画像を表示することも可能である。またこれと同様に、屋外カメラユニットの通信部１３がイーサネット（登録商標）やＵＳＢ等の汎用インタフェースを備えていれば、カメラ１１として市販のカメラを使用することも可能であり、通信部１３に複数のコネクタを備えておけば、カメラの数を増やすことも可能であり、屋外カメラユニット内に角度を変えて複数のカメラを設置すれば玄関外の広範囲を撮影することができ、セキュリティをさらに向上することができる。
通信部１３及び通信部６３に限らず、すべての通信部に汎用インタフェースを備えておけば、使用目的に合わせ他機器を簡単に通信部に接続することができ、この屋外カメラシステムの使用の幅が広がる。またこのことは上記実施の形態１〜３においても同様にいえる。
【００２５】
実施の形態５．
本実施の形態では屋外カメラシステムを例えば既存の常夜灯に適用するものである。一般に、常夜灯は近部に設置された電柱より至る常夜灯用電灯線を介して電力供給されており、本実施の形態ではこの既設の常夜灯用電灯線を利用する。また、近年敷設の進んでいる電柱上の光ファイバケーブルを利用することで、電柱上を中継地として、遠方の監視元と屋外カメラユニットとの通信をすることができる。
【００２６】
図５は、この発明の実施の形態５による屋外カメラシステムの概略構成を示したブロック図である。図５においてこの屋外カメラシステムは、例えば屋外の常夜灯に設置された屋外カメラユニット１０と、例えば電柱上に設置された中継ユニット７０と、例えば遠方の監視元に設置された監視ユニット８０とから成る。ここで、屋外カメラユニット１０は上記実施の形態１〜４の構成と同じであり、カメラ１１と電灯１２は通信部１３を介して上記で説明した既設の電柱より常夜灯に至る常夜灯用電灯線３に接続される。
中継ユニット７０は、屋外カメラユニット１０の通信部１３と電灯線通信をするために信号処理を行う通信部７１と、電柱上の光ファイバケーブルを利用して遠方の監視元と信号の送受信を行う光ファイバ送受信部７２を有し、通信部７１と光ファイバ送受信部７２が接続されている。監視ユニット８０は電灯１２のオン／オフを制御する操作部８１と、カメラ１１で撮影された画像信号を表示するための表示部８２と、操作信号や画像信号を処理及び制御するための監視装置８３と、光ファイバケーブルを利用して遠方と信号の送受信を行うための光ファイバ送受信部８４を有し、操作部８１と表示部８２とが監視装置８３を介して光ファイバ送受信部８４に接続され、この光ファイバ送受信部８４は光ファイバケーブルを通じ中継ユニット７０の光ファイバ送受信部７２と信号のやり取りを行う。
【００２７】
次に本実施の形態の動作を説明する。
監視元８０から常夜灯に設置された電灯１２をつけたい場合、操作部８１にてオンの信号を発し、監視装置８３を介して光ファイバ送受信部８４に送る。光ファイバ送受信部８４はこの信号を送信し、この信号は光ファイバケーブル４を通じて電柱上に設置された中継ユニット７０の光ファイバ送受信部７２にて受信される。さらにこの信号は光ファイバ送受信部７２から通信部７１に送られ、通信部７１はこの信号を電柱より常夜灯に至る常夜灯用電灯線３に重畳する。屋外カメラユニット１０の通信部１３は常夜灯用電灯線３を通じてこの信号を受信し、この受信信号により電灯１２の電力供給スイッチがオンされ電灯１２の明りが灯る。
また、通信部１３はカメラ１１で撮影された画像信号を常夜灯用電灯線３に重畳する。電柱上の中継ユニット７０の通信部７１は常夜灯用電灯線３を通じて画像信号を受信し、さらに表示可能な画像信号に変換後、光ファイバ送受信部７２に送る。光ファイバ送受信部７２はこの信号を送信し、この信号は光ファイバケーブル４通じて遠方の監視元に設置された監視ユニット８０の光ファイバ送受信部８４にて受信される。受信された画像信号は光ファイバ送受信部８４より監視装置８３を介して表示部８２で表示される。
【００２８】
本実施の形態では、屋外カメラユニット１０は、カメラ１１と電灯１２とが通信部１３を介して常夜灯用電灯線３に接続されるため、カメラ１１用と電灯１２用に常夜灯用電灯線３を分岐させる必要がなく、カメラ１１と電灯１２とは常夜灯用電灯線３を共用し電力の供給を得ると共にカメラ１１で撮影された画像信号の伝送路としても使用することができる。従って、既設の常夜灯設備があれば大掛かりな工事の必要もなく簡単に常夜灯にこの屋外カメラユニット１０を設置することができる。また電柱上に光ファイバケーブルが常設されつつあるという現状から、電柱上に中継ユニット７０を設置するだけで容易に遠方の監視元にて画像監視の行える屋外カメラシステムを導入することができる。
【００２９】
なお、本実施の形態では、屋外カメラユニット１０は一箇所にしか設置していないが、既設の常夜灯設備のあるところであればどこであっても簡単に設置することができ、複数の屋外カメラユニットを設置して一箇所の監視ユニットで監視することもできる。例えば、ある地域一帯の複数の常夜灯にこの屋外カメラユニット１０を設置し、それぞれの屋外カメラユニット１０のカメラ１１にて撮影された画像信号を、既設の電柱に設置したそれぞれの中継ユニット７０を介して、一箇所の監視元の監視ユニット８０で収集する。監視ユニット８０で収集した画像信号は、監視装置８３にて処理及び制御され、表示部８２にて各屋外カメラユニット１０設置地点の映像を確認でき、これにより季節や天候に応じた電灯のオン／オフ制御を行ったり、電灯の故障を容易に発見することができる。
【００３０】
また、本実施の形態では、監視ユニット８０は操作部８１と表示部８２とを制御及び処理用の監視装置８３を介して光ファイバ送受信部８４に接続する構成としているが、特に信号の制御や画像の処理をしないのであれば監視装置８３を外すことも可能であり、その場合は操作部８１と表示部８２を直接光ファイバ送受信部８４に接続すればよい。これにより、より簡単な構成の監視ユニットを得ることができる。
【００３１】
実施の形態６．
図６は、この発明の実施の形態６によるカメラユニットの概略構成を示したブロック図である。図６において、このカメラユニット９０は画像を撮影するカメラ９１と、照明用の電灯９２と、電灯線通信のための信号処理を行う通信部９３とを有し、カメラ９１と電灯９２は通信部９３を介して電灯線５に接続される。
【００３２】
本実施の形態では、カメラユニット９０は、カメラ９１と電灯９２とが通信部９３を介して電灯線５に接続されるため、カメラ９１用と電灯９２用に電灯線５を分岐させる必要がなく、カメラ９１と電灯９２とは電灯線５を共用し電力の供給を得ると共にカメラ９１で撮影された画像信号の伝送路としても使用することができる。従って、このカメラユニット９０は、屋内、屋外を問わず電灯線が敷設されている場所であれば電灯線を分岐させずに容易に設置することが可能であり、例えば既設の照明装置があれば、その照明装置用に敷設されている電灯線を使用して、照明装置と置き換えてこのカメラユニット９０を設置することができる。
またカメラ９１と電灯９２を一体のユニットとしているため、外部からカメラ９１を認識しにくく、第三者に警戒されることなく撮影することができる。
【００３３】
なお、通信部９３がイーサネット（登録商標）やＵＳＢ等の汎用インタフェースを備えていれば、カメラ９１として市販のカメラを使用することも可能であり、通信部９３に複数のコネクタを備えておけば、カメラの数を増やすことも可能であり、カメラユニット内に角度を変えて複数のカメラを設置すれば玄関外の広範囲を撮影することができ、さらにセキュリティの向上を図ることができる。
【図面の簡単な説明】
【００３４】
【図１】この発明の実施の形態１による屋外カメラシステムの概略構成を示したブロック図である。
【図２】この発明の実施の形態２による屋外カメラシステムの概略構成を示したブロック図である。
【図３】この発明の実施の形態３による屋外カメラシステムの概略構成を示したブロック図である。
【図４】この発明の実施の形態４による屋外カメラシステムの概略構成を示したブロック図である。
【図５】この発明の実施の形態５による屋外カメラシステムの概略構成を示したブロック図である。
【図６】この発明の実施の形態６によるカメラユニットの概略構成を示したブロック図である。
【符号の説明】
【００３５】
１  屋外電灯用電灯線、２  電灯線、３  常夜灯用電灯線、４  光ファイバケーブル、
５  電灯線、１０  屋外カメラユニット、１１  カメラ、１２  電灯、１３  通信部、
２０  操作ユニット、２１  操作部、２２  通信部、３０  表示ユニット、
３１  表示部、３２  通信部、４０  ユニット、４１  操作部、４２  表示部、
４３  通信部、５０  表示ユニット、５１  表示部、５２  通信部、
６０  表示ユニット、６１  表示部、６２  パーソナルコンピューター（ＰＣ）、
６３  通信部、７０  中継ユニット、７１  通信部、７２  光ファイバ送受信部、
８０  監視ユニット、８１  操作部、８２  表示部、８３  監視装置、
８４  光ファイバ送受信部、９０  カメラユニット、９１  カメラ、９２  電灯、
９３  通信部。
【図１】
2006174201.tif 000003
【図２】
2006174201.tif 000004
【図３】
2006174201.tif 000005
【図４】
2006174201.tif 000006
【図５】
2006174201.tif 000007
【図６】
2006174201.tif 000008